(57)【要約】【課題】地面の傾斜等の接地場所の条件に容易に対応し、かつ重いディスプレイ装置を容易に移動させて設置作業を効率化する。【解決手段】移動基板２０の上方に表示部を形成したディスプレイ本体１と接地基板３０とからディスプレイ装置５０とする。移動基板２０は  平板３の下面中央に係止突起１５、四隅にキャスター６を取り付け、上面４に表示部受け１０を突設する（ａ）。接地基板３０は平板３１の上面３２に両側にレール４０、中央に係止受け４７を設け、下面四隅にアジャスター３７を設ける（ａ）。設置場所に傾斜を調節した接地基板３０を置き（ａ）、キャスター６で移動したディスプレイ本体１を、接地基板３０のレール４０の開放部４０ａからキャスター６を乗せる（ｂ）。移動基板２０のキャスター６がレール４０の終点４０ｂに至った状態で、移動基板２０の係止突起を接地基板３０の係止受け４７に係止する（ｃ）。【選択図】図１
2012189905.tif 000002
【特許請求の範囲】
【請求項１】
下面にキャスターを有する移動基板の上面に表示部を形成してディスプレイ本体とし、該ディスプレイ本体と、前記移動基板の下面を受ける接地基板と、からなり、以下のように構成したことを特徴とするディスプレイ装置。
(1) 前記接地基板の上面に、前記移動基板のキャスターが載るレールを設ける。
(2) 前記ディスプレイ装置は、前記移動基板が前記接地基板の上面に重なる「着状態」と、前記移動基板が前記接地基板から分離した「脱状態」の２状態を取ることができる。
(3) 前記レールは、前記移動基板が前記脱状態と前記着状態との間の移動できるように、前記キャスターを案内できる構造とする。
(4) 移動基板及び／又は前記移動基板に、前記移動基板が着状態からの移動を規制する保持手段を設ける。
【請求項２】
前記接地基板は、水平方向に対して傾斜角度を調節自在にした請求項１記載のディスプレイ装置。
【請求項３】
以下のように構成したことを特徴とする請求項１記載のディスプレイ装置。
(1) 第一保持手段又は第二保持手段のいずれか一方又は両方を設ける。
(2) 移動基板の下面に係止突起を設け、前記接地基板の上面に、前記前記係止突起が係止して前記移動基板の上昇を規制する係止受けを設けて、前記第一保持手段とする。
(3) 前記移動基板と前記接地基板とに着状態で重なるピン穴をそれぞれ設け、両ピン穴に差し込んで水平方向の移動を規制するピンを取り付ける。
(4) レールは、着状態で、長さ方向に直角な方向へ移動基板が移動することを規制する。
【請求項４】
接地基板に、着状態で、移動基板の少なくとも一端縁部を覆うカバーを取り付けて構成したことを特徴とする請求項１記載のディスプレイ装置。
【発明の詳細な説明】
【技術分野】
【０００１】
この発明は、広告・案内・看板などのディスプレイを移動可能で、かつ使用場所で安全に設置することができるディスプレイ装置に関する。
【背景技術】
【０００２】
従来、広告・案内・看板などのディスプレイを床面（地面）に沿って移動可能とするために、ディスプレイ装置では、下面にキャスターを設けていた（特許文献１〜３）。キャスターを使って自由に移動できる移動状態から、所定位置まで移動が完了して、その位置で、ディスプレイ装置を使用する場合（保持状態）には、動かないように保持する必要があった。
【０００３】
保持状態の場合、キャスターのロック機構を使用して、キャスターの回転を止めていた（特許文献１）。あるいは下方に昇降するアジャスターを設けて、移動状態ではアジャスターを短くしてキャスターを使用し、保持状態ではアジャスターをキャスターより下方に突出させて、アジャスターを接地してキャスターを浮いた状態にしていた（特許文献２、３）。
【先行技術文献】
【特許文献】
【０００４】
【特許文献１】特開２０００−３２０１６
【特許文献２】特開２０００−１７４０８６
【特許文献３】実用登録第３１０３３９０号
【発明の概要】
【発明が解決しようとする課題】
【０００５】
前記従来の技術の場合、キャスターのロック機構を使用する場合、保持状態で安全に使用するためには、４輪のキャスターをすべてロックする必要があり、操作が面倒であり、かつロック状態か否かの確認がわかりにくい問題点があった。さらに、この場合には、床面（地面）が傾斜している場合には、調節ができなかった。
【０００６】
また、アジャスターを使用する場合には、通常ディスプレイ装置は重量があり（１０〜７０ｋｇ程度）、この自重に抗してアジャスターを延ばす作業は、容易でない問題点があった。さらに、この場合には、床面（地面）が傾斜している場合には、アジャスターの長さを調節することにより対応できるが、少なくとも２つのアジャスターを、ディスプレイ装置の自重に抗して長くする作業を要し、作業はさらに困難であった。
【課題を解決するための手段】
【０００７】
そこでこの発明では、キャスターを有するディスプレイ本体と接地基板とから構成するので、前記問題点を解決した。
【０００８】
すなわち、この発明は、下面にキャスターを有する移動基板の上面に表示部を形成してディスプレイ本体とし、該ディスプレイ本体と、前記移動基板の下面を受ける接地基板と、からなり、以下のように構成したことを特徴とするディスプレイ装置である。  
(1) 前記接地基板の上面に、前記移動基板のキャスターが載るレールを設ける。  
(2) 前記ディスプレイ装置は、前記移動基板が前記接地基板の上面に重なる「着状態」と、前記移動基板が前記接地基板から分離した「脱状態」の２状態を取ることができる。  
(3) 前記レールは、前記移動基板が前記脱状態と前記着状態との間の移動できるように、前記キャスターを案内できる構造とする。  
(4) 移動基板及び／又は前記移動基板に、前記移動基板が着状態からの移動を規制する保持手段を設ける。
【０００９】
また、前記において、前記接地基板は、水平方向に対して傾斜角度を調節自在にしたディスプレイ装置である。
【００１０】
また、前記において、以下のように構成したことを特徴とするディスプレイ装置である。  
(1) 第一保持手段又は第二保持手段のいずれか一方又は両方を設ける。  
(2) 移動基板の下面に係止突起を設け、前記接地基板の上面に、前記前記係止突起が係止して前記移動基板の上昇を規制する係止受けを設けて、前記第一保持手段とする。  
(3) 前記移動基板と前記接地基板とに着状態で重なるピン穴をそれぞれ設け、両ピン穴に差し込んで水平方向の移動を規制するピンを取り付ける。  
(4) レールは、着状態で、長さ方向に直角な方向へ移動基板が移動することを規制する。
【００１１】
さらに、前記において、接地基板に、着状態で、移動基板の少なくとも一端縁部を覆うカバーを取り付けて構成することを特徴とするディスプレイ装置である。
【００１２】
また、前記における「保持手段」は、「着状態」を維持できるものであれば良い。たとえば、通常はレールにより、レールに直交する方向及び下方への移動基板の移動は規制される。従って、通常の安全条件であれば、「保持手段」は、レール方向の移動を規制する手段があれば良い。たとえば、係止孔と係止ピン、互いに係止する係止具、レールにキャスターを収容する凹部を形成することもできる。  
さらに、振動が多い場所などでは、上方への移動基板の移動を規制する手段も併設することもできる。
【発明の効果】
【００１３】
この発明は、キャスターを有するディスプレイ本体と接地基板とから構成したので、任意の位置において、接地基板のレールに、キャスターを乗せれば、容易にディスプレイ本体を保持できる。
【００１４】
従って、接地基板を、地面の傾斜や壁、道路の状況、表示させる向きなど設置場所に応じて調整して配置することができるので、ディスプレイ装置を保管場所から移動させて、所定の位置に配置する作業を効率化できる。
【図面の簡単な説明】
【００１５】
【図１】図１はこの発明の実施例の表示部を省略した斜視図で、（ａ）は脱状態、（ｂ）は脱状態から着状態に変化する途中、（ｃ）は着状態を表す。
【図２】図２はこの発明の実施例の移動基板で、（ａ）は平面図、（ｂ）は底面図、（ｃ）は左側面図、（ｄ）は正面図、（ｅ）は右側面図である。
【図３】図３はこの発明の実施例の接地基板で、（ａ）は平面図、（ｂ）は底面図、（ｃ）は左側面図、（ｄ）は正面図、（ｅ）は右側面図である。
【図４】図４は、この発明の実施例で着状態の接地基板と移動基板で、（ａ）は平面図、（ｂ）は底面図、（ｃ）は左側面図、（ｄ）は正面図、（ｅ）は右側面図である。
【図５】図５（ａ）は、図４（ｅ）のＡ部拡大図、（ｂ）は図４（ｃ）の拡大図で、地面が傾斜した表示場所に適用した場合を表す。
【図６】図６は、この発明のディスプレイ装置で、着状態を表し、（ａ）は正面図、（ｂ）は右側面図を表す。
【図７】図７は、この発明の他のディスプレイ装置で、着状態を表し、（ａ）は平面図、（ｂ）は一部を省略した右側面図を表す。
【発明を実施するための形態】
【００１６】
図面に基づきこの発明の実施態様を説明する。
【００１７】
１．    ディスプレイ装置５０の構成
【００１８】
（１）ディスプレイ本体１の構成（図２、図５）
【００１９】
長方形の平板３の下面５の四隅に、キャスター６、６を取り付ける。平板３の上面４で、短辺側の縁３ａ、３ｂに沿って、角パイプからなる横補強材７、７を固定し、両横補強材７、７の中間部を連結するように、平板３の長辺側の縁３ｃ、３ｄに略平行に、中央補強材８を固定する。両横補強材７、７の上面７ａで、長さ方向の中央（又は中央付近）に短い角パイプからなる表示部受け１０を上方に向けて開口した状態で、突設する。また、表示部受け１０の側面と横補強材７の側面（内側の対向する内側面７ｂ）が面一になっており、その両側面に渡るような小補強板１１を固定する。なお、キャスター６、６は、横補強材７の下方に位置し、あるいはキャスター６、６は横補強材７の下面に固定することもできる。  
平板３の長辺側の縁３ｃ、３ｄは、下方に向けて屈曲してある。
【００２０】
横補強材７、７の外側面７ｃで、長さ方向の中央部に、Ｌ字形の連結材１３の縦片１３ａを固定し、連結材１３の横片１３ｂを、平板３の下面５よりも下方で、キャスター６、６の接地面５２より上方に位置させる。また、連結材１３の横片１３ｂの中央部に連結孔１４を設ける。平板３の下面５で、両連結材１３、１３に設けた連結孔１４、１４を結ぶ位置に、断面逆Ｔ字状の係止突起１５を形成する。係止突起１５は水平片１６が、係止突起１５の下端に位置し、水平片１６がキャスター６、６の接地面５２より上方に位置する。以上のようにして、移動基板２０を構成する（図１（ａ）、図２）。
【００２１】
２本の支柱２２、２２の上端及び中間部を、梁材２３、２４の両端で連結して、鳥居形として、上側の梁材（支柱２２の上端部）２４に表示部本体２５を固定して、表示部２７とする（図５（ａ））。  
表示部２７の支柱２２、２２を、移動基板２０の表示部受け１０、１０にそれぞれ差し込んで、ディスプレイ本体１とする。移動基板２０のキャスター６、６で、長辺側のキャスター６、６の間隔（長辺側の縁３ｃ、３ｄに沿って配置されたキャスタ６、６ーの間隔）をＬ１１として、短辺３ａ、３ｂ側のキャスター６、６の間隔（短辺側の縁３ａ、３ｂに沿って配置されたキャスタ６、６ーの間隔）をＬ１２とする（図２（ｂ）、図１（ａ））。
【００２２】
（２）接地基板３０の構成（図３）
【００２３】
長方形の平板３１の上面３２で長辺側の縁３１ｃ、３１ｄに沿って、角パイプからなる縦補強材３５、３５を固定する。長方形の平板３１の上面３２で長辺側の縁３１ｃ、３１ｄと平行に、かつ縦補強材３５から所定距離中央側で、上に凸となるように折り曲げて、中央凸部３８を形成する。中央凸部３８で折り曲げ代の間の中間の上面３８ａは平坦に形成されている。
【００２４】
平板３１の短辺側の縁３１ａ、３１ｂのうちの一方の縁３１ａに、縁３１ａ（中央凸部３８の凸形状に屈曲してある）に沿って、角パイプからなる横補強材３６を固定する。横補強材３６の側面に縁３１ａが突設してある。また、横補強材３６の両端を縦補強材３５、３５の両端にそれぞれ固定する。平板３１の他方の短辺側の縁３１ｂには横補強材３６を設けない。
【００２５】
中央凸部３８の長辺側の両側面（屈曲した折り代）３９、３９は、各縦補強材３５、３５の内側の側面３５ａ、３５ａと平行に形成され、中央凸部３８の長辺側の側面３９と対応する縦補強材３５の内側の側面３５ａとの間に、それぞれ間隙が形成され、この間隙が凹状であり、レール４０を形成する。レール４０の長さＬ２１は、移動基板２０のキャスター６、６の間隔Ｌ１１より長く形成し、両レール４０、４０の間隔Ｌ２２はキャスター６、６の間隔Ｌ１２と略同一に形成する。
【００２６】
従って、レール４０の一方の縁が開口部４０ａを形成して、平板３１の縁３１ａから外方に向けて開放し、開放部４０ａは、キャスター６、６を導入する際の入り口を形成する。また、レール４０、４０の他方の縁は横補強材３６に塞がれ、終点４０ｂを形成する。
【００２７】
平板３１の下面３３の四隅で、縦補強材３５、３５の下方又は縦補強材３５、３５の下面に、長さ調節自在のアジャスター３７、３７をそれぞれ取り付ける。
【００２８】
横補強材３６の上面で中央付近に、移動基板２０の連結孔１４と連通できる連結孔４２を設ける。横補強材３６の中央部付近（連結孔４２付近）で、平板３１及び中央凸部３８に、提げ手用開口４３を形成する。提げ手用開口４３は、横補強材３６を握った際に、手（指）を挿入できる形状大きさで形成される。また、連結孔４２の周辺（案内片４３又は横補強材３６）に、連結孔４２に挿入できる固定ピン４５を先端に設けたチェーン４６の基端を取り付ける。
【００２９】
中央凸部３９の上面３８ａで、平板３１の長辺方向の縁３１ｃ、３１ｄに沿って、かつ連結孔４２を通る方向に、係止突起１５と係止できる係止受け４７を突設する。係止受け４７は、係止突起１５の垂直片１６ａを挿入できるスリット４８を、長辺方向に縁３１ｃ、３１ｄ（レール４０、４０）に沿って形成し、スリット４８の下方に（中央凸部３８の上面３８ａとの間に）、係止突起１６の水平片１６を収容する中空部４９を形成してある。係止受け４７は、横補強材３６側（平板３１の短辺側の縁３１ａ側、提げ手用開口４３を設けた側、連結孔４２を設けた側）が閉塞され、他側（平板３１の短辺側の縁３１ｂ側、横補強材３６が設けられていない側）が開放している。係止受け４７の上面、縦補強材３５の上面、横補強材３６の上面は、いずれも略同じ高さ（略面一）に形成されている。
【００３０】
以上のようにして、接地基板３０を構成する（図１（ａ）、図２）。
【００３１】
（３）ディスプレイ装置５０の構成（図６）
【００３２】
以上のようにして構成した、ディスプレイ本体１と接地基板３０とで、この発明のディスプレイ装置５０を構成する（図６、図４）。
【００３３】
２．ディスプレイ装置５０の使用
【００３４】
（１）  まず、ディスプレイ装置５０を使用する場所に、保管場所（通常店内）から接地基板３０のみを持ち、接地基板３０を配置する。この際、接地基板３０はディスプレイ本体１が無く軽いので、さらに提げ手用開口があるので持ちやすく、接地位置まで容易に運ぶことができる。  
接地基板３０は、地面５２の傾斜にあわせて、平板３１（中央凸部３８の上面３８ａ）が略水平になるように、アジャスター３７、３７を調節する。この際、ディスプレイ本体の表示部の表示させる側が、接地基板３０の縦補強材３５、３５が対向する方向（いずれの縦補強材３５でもよい）に合うように、調節する。
【００３５】
（２）  続いて、ディスプレイ本体１を保管場所などから使用する場所に移動して、接地基板３０の平板３１の短辺側の縁３１ａ（横補強材３６を設けていない側に、ディスプレイ本体１の平板の縁３ａを対向させて（図１（ａ）。脱状態）、レール４０の開放部４０ａから、ディスプレイ本体１のキャスター６、６を接地基板３０のレール４０、４０に乗せ、レールに沿ってディスプレイ本体１を移動させる。この際、キャスター６は、レール４０に乗っているので（縦補強材３５の側面と中央凸部３１の側面３９に挟まれて）、レール４０の長さ方向以外の移動（レール４０に直行する方向）が規制される（図１（ｂ））。  
また、この際、移動基板２０のキャスター６、６を使って、地面５２を移動して、そのまま、キャスター６、６で移動しながら、キャスター６が地面５２から接地基板３０のレール４０、４０に容易に乗れるように、レール４０の開放部４０ａが構成されている。
【００３６】
（３）  ディスプレイ本体１の移動基板２０の縁３ａ側のキャスター６、６がレール４０、４０の終点４０ｂ、４０ｂに至った状態で、キャスター６、６が横補強材３６に当設して、それ以上の進行が規制される（図１（ｃ）。この状態で、ディスプレイ本体１の移動基板２０の縁３ｂ側のキャスター６、６もレール４０、４０に乗った状態となる。また、この際、ディスプレイ本体１の移動基板２０の係止突起１５の垂直片１６ａ及び水平片１６が、それぞれ接地基板３０の係止受け４７のスリット４８及び中空部４９に入り（図１（ｃ））、移動基板２０の上方への移動が規制される。この状態で、ディスプレイ装置５０の組み立てが完了する。この際、さらに、接地基板３０の連結孔４２と移動基板２０の連結孔１４とが連通するので、連結孔１４、４２に固定ピン４５を差し込んで、ディスプレイ本体１のレール４０の長さ方向の移動も制限する（図６（ａ）（ｂ））。また、キャスター６、６がレール４０、４０に乗って移動するので、係止突起１５と係止受け４７の係止も、確認作業をすることなく、自動で係止する。
【００３７】
（４）  なお、接地基板３０の平板３１の短辺側の縁３１ａに、ディスプレイ本体１の平板の縁３ａを対向させたが、ディスプレイ本体１の平板の縁３ｂを対向させて、レール４０、４０にキャスター６、６を乗せることもできる（図示していない）。この場合でも、係止突起１５と係止受け４７との係止、連結孔１４、４２の連通は、支障なく行うことができる。
【００３８】
３．他の実施態様
【００３９】
（１）  前記実施態様において、チェーン４６付きの固定ピン４５を接地基板３０に取り付けたが、移動基板２０に取り付けることもできる。この場合でも作業性を考慮して、連結孔１４の周辺に取り付けることが望ましい（図示していない）。また、固定ピン４５は別途用意すれば、接地基板３０及び移動基板２０からは省略することもできる（図示していない）。
【００４０】
（２）  また、前記実施態様において、着状態で、移動基板２０の上面を覆うカバー５４、５５を設けることもできる（図７）。カバー５４、５５により、見栄えを良くするとともに、補強材７、８を隠し、移動基板２０の上面を平坦にして、もし、通行人が移動基板２０に乗っても安全なようにしてある。また、カバー５４、５５の表面に模様を描き、あるいは各種の表示をすることもできる（図示していない）。  
また、この場合、あらかじめ、接地基板３０の一側（平板３の短辺側の縁３ａ側）にカバー５４、他側（平板３の長辺側の縁３ｂ側）にカバー５５を取り付けておくこともでき（図７（ａ）（ｂ））、カバー５４、５５の間に支柱２２、２２が通過できる間隙５６を形成しておき、カバー５４の一側５４ａ、カバー５５の一側５５ａに移動基板２０を乗せる場合の導入口を形成する。  
あるいは、接地基板３０に移動基板２０を乗せて、着状態とした後に、カバー５４、５５を取り付けることもできる（図示していない）。
【００４１】
（３）  また、前記実施態様において、係止突起１５及び係止受け４７を設けたので、接地基板に対して、移動基板２０（ディスプレイ本体１）が上昇する方向への移動が規制され、ディスプレイ本体１が傾くことを防止できるので好ましいが、係止突起１５及び係止受け４７を省略することもできる（図示していない）。
【００４２】
（４）  また、前記実施態様において、表示部２７の構造、形状、大きさなど、その構成は、移動基板２０の表示部受け１０に取り付けることができれば、任意である。さらに、表示部受け１０の構成も、要はディスプレイ本体１を取り付けることができれば良いので、ディスプレイ本体１に併せて任意に変更することもできる（図示していない）。
【００４３】
（５）  また、前記実施態様において、平板３、３１を長方形としたが、正方形、台形、三角形、円形など形状は任意である（図示していない）。また、接地基板３０に形成するレール４０、４０に移動基板２０のキャスター６、６が乗れば、平板３と平板３１を異なる形状とすることもできる（図示していない）。
【符号の説明】
【００４４】
１    ディスプレイ本体
３    平板（移動基板）
３ａ、３ｂ  平板の短辺側の縁
３ｃ、３ｄ  平板の長辺側の縁
４    平板の上面
５    平板の下面
６    キャスター（移動基板）
７    横補強材（移動基板）
８    中央補強材（移動基板）
１０    表示部受け（移動基板）
１１    小補強板（移動基板）
１３    連結材（移動基板）
１３ａ  連結材の縦片
１３ｂ  連結材の横片
１４    連結孔（移動基板）
１５    係止突起（移動基板）
１６    係止突起の水平片
１６ａ  係止突起の垂直片
２０    移動基板（ディスプレイ本体）
２２    支柱（表示部）
２３、２４  梁材（表示部）
２５    表示部本体（表示部）
２７    表示部（ディスプレイ本体）
３０    接地基板
３１    平板（接地基板）
３１ａ  平板の短辺側の縁
３１ｂ  平板の長辺側の縁
３２    平板の上面
３３    平板の下面
３５    縦補強材（接地基板）
３６    横補強材（接地基板）
３７    アジャスター（接地基板）
３８    中央凸部（接地基板）
３８ａ  中央凸部の上面
３９    中央凸部の長辺側の側面
４０    レール（接地基板）
４０ａ  レールの開口部
４２    連結孔（接地基板）
４３    提げ手用開口（接地基板）
４５    固定ピン（接地基板）
４６    チェーン（接地基板）
４７    係止受け（接地基板）
４８    係止受けのスリット
４９    係止受けの中空部
５０    ディスプレイ装置
５２    地面（接地面）
５４、５５  カバー
【図１】
2012189905.tif 000003
【図２】
2012189905.tif 000004
【図３】
2012189905.tif 000005
【図４】
2012189905.tif 000006
【図５】
2012189905.tif 000007
【図６】
2012189905.tif 000008
【図７】
2012189905.tif 000009